(57)【特許請求の範囲】
【請求項１】
固体撮像素子によって撮像し、光電変換してアナログ画像データを得る撮像部と、前記アナログ画像データをアナログ−デジタル変換してデジタル画像データを作成し記録媒体に記録するデジタル画像データ記録部と、前記デジタル画像データを表示する表示装置と、で構成された撮像装置であって、
前記記録媒体に記録されたデジタル画像データを選択する選択手段と、
前記選択手段で選択される毎に、前記デジタル画像データに基づく画像を所定の順序で前記表示装置に表示する表示制御手段と、
前記表示装置に表示された画像の一部を表示領域として指示する画角指示手段と、
前記表示装置での表示画像が前記画角指示手段で指示された画角となるように拡大表示するズーム・トリミング制御手段と、
前記画角指示手段で指示したトリミング指示と前記ズーム・トリミング制御手段で指示したズーム指示とを記憶する記憶手段を備え、前記選択手段により選択された前記画像が連写画像か否かを判定し、前記連写画像を順次表示するときに、前記記憶手段に記憶された前記トリミング指示と前記ズーム指示とを次のコマ画像の表示に反映させるズーム・トリミング指示状態反映手段と、
を有する撮像装置。
【請求項２】
記録媒体に記録されたデジタル画像データが選択される毎に、前記デジタル画像データに基づく画像を所定の順序で表示し、
表示された前記画像の一部を表示領域として指示された画角となるように拡大表示し、
前記画角を記憶し、選択された前期画像が連写画像か否かを判定して、前記連写画像を順次表示するときに、記憶した前記画角を次のコマ画像の表示に反映して拡大表示する、
ことを特徴とする画像表示方法。
【発明の詳細な説明】
【０００１】
【発明の属する技術分野】
本発明は、固体撮像素子によって撮像し、光電変換してアナログ画像データを得る撮像部と、前記アナログ画像データをアナログ−デジタル変換してデジタル画像データを作成し記録媒体に記録するデジタル画像データ記録部と、前記デジタル画像データを表示する表示装置と、で構成された撮像装置に関するものである。
【０００２】
【従来の技術】
従来、撮像装置、特にデジタルカメラでは、ＣＣＤ（Charge Coupled Device）を用い、静止画等を撮影すると、その画像データはアナログ−デジタル変換された後、予め設定された圧縮形式（例えば、ＪＰＥＧ）によって圧縮した状態でメモリカード等の記録媒体に記録して保存する。
【０００３】
ところで、ＣＣＤで撮像する際の被写体は、一般的には、デジタルカメラの背面側に設けられたＬＣＤ（液晶表示装置）に表示される。このＬＣＤに表示された画像を見ながら画角を定め、レリーズボタンを操作することで撮影がなされる。
【０００４】
また、撮影された画像、すなわち記録媒体に記録された画像は、再生機能により読出し、ＬＣＤに表示させることも可能である。この再生機能では、コマ番号（撮影番号）を指定して該当する画像を表示させたり、撮影順又はその逆にボタン１つの操作で順次表示させるといった機能を有している。
【０００５】
さらに、ＬＣＤへ表示された画像の一部を拡大して表示する、所謂ズーム機能を持ったデジタルカメラも存在する。このようなズーム機能では、ズーム指定した画像を元の画像とは別に記録することができるため、当初撮影被写体の主とした画像を画像の中心に拡大表示してプリントすることができる。
【０００６】
また、例えば、複数人の集合写真を撮影する際に何枚か連続して撮影し（以下、連写という）、その内の最適な撮影状態の画像データを用いて複数枚のプリントを行う場合、特定の者が瞬きをしていないか否かを判断するため、この特定の者にズームし、拡大表示して確認することがある。
【０００７】
このような、全体の画像の一部を拡大して撮影状態を確認する場合、複数枚連写した画像を順番に表示し、かつ当該特定の者をズーム表示することで行なっていた。
【０００８】
【発明が解決しようとする課題】
しかしながら、連写の場合、ズームさせる位置（トリミング位置）はほとんど同じであるにも拘らず、表示画像を順送りした時点で、ズーム機能はキャンセルされてしまうため、新たな画像を表示する度に同一の操作（ズーム操作）を繰り返さなければならず、操作性が悪く、煩雑な作業となっていた。
【０００９】
本発明は上記事実を考慮し、例えば連写等の所定の条件が成立した場合には、その前に指定した指定状態を次の表示画像まで反映させるようにズーム機能を維持し、操作性を改善することができる撮像装置を得ることが目的である。
【００１０】
【課題を解決するための手段】
請求項１に記載の発明は、固体撮像素子によって撮像し、光電変換してアナログ画像データを得る撮像部と、前記アナログ画像データをアナログ−デジタル変換してデジタル画像データを作成し記録媒体に記録するデジタル画像データ記録部と、前記デジタル画像データを表示する表示装置と、で構成された撮像装置であって、前記記録媒体に記録されたデジタル画像データを選択する選択手段と、前記選択手段で選択される毎に、前記デジタル画像データに基づく画像を所定の順序で前記表示装置に表示する表示制御手段と、前記表示装置に表示された画像の一部を表示領域として指示する画角指示手段と、前記表示装置での表示画像が前記画角指示手段で指示された画角となるように拡大表示するズーム・トリミング制御手段と、前記画角指示手段で指示したトリミング指示と前記ズーム・トリミング制御手段で指示したズーム指示とを記憶する記憶手段を備え、前記選択手段により選択された前記画像が連写画像か否かを判定し、前記連写画像を順次表示するときに、前記記憶手段に記憶された前記トリミング指示と前記ズーム指示とを次のコマ画像の表示に反映させるズーム・トリミング指示状態反映手段と、を有している。
【００１１】
請求項１記載の発明によれば、選択手段で画像が選択されると、画像表示制御手段では、記録媒体に記録されたデジタル画像データに基づく画像を所定の順序で表示装置に表示する。ここで、表示装置に表示された画像に対して画角指示手段による画像の一部を表示する指示がなされると、ズーム・トリミング制御手段では、指示された画角を拡大表示する。
【００１２】
ズーム・トリミング指示状態反映手段では、撮影時間の差分で連続する連写画像であることが自動的に反映され、その連写画像の一部を拡大表示しているときに、次の選択手段の選択で次の画像が表示されたときも、前記画角指示手段で指示された画角での表示状態で表示装置に表示する。これにより、例えば、連写によって撮像した複数の画像において、同一の画角で拡大表示させたいときに、同一の画角指示手段による指示操作を省くことができ、操作性を向上することができる。
【００１３】
なお、本発明における画角とは、撮影された画像の領域内の一部の画像をいい、基本的には、表示装置で表示する縦横比と同一の縦横比で指定される領域をいう。
請求項２に記載の発明は、記録媒体に記録されたデジタル画像データが選択される毎に、前記デジタル画像データに基づく画像を所定の順序で表示し、表示された前記画像の一部を表示領域として指示された画角となるように拡大表示し、前記画角を記憶し、選択された前期画像が連写画像か否かを判定して、前記連写画像を順次表示するときに、記憶した前記画角を次のコマ画像の表示に反映して拡大表示する、ことを特徴としている。
請求項２に記載の発明によれば、画像が選択され、選択された画像に対して、画像の一部を表示する指示がなされると、指示された画角を拡大表示する。撮影時間の差分で連続する連写画像であることが自動的に反映され、その連写画像の一部を拡大表示していると、次のコマ画像が表示されるときにも、同一の画角で拡大表示することができる。
【００１４】
【発明の実施の形態】
図１に本実施の形態に係るデジタルカメラ１０における制御系が示されている。デジタルカメラ１０には、撮像部１８が配設されている。撮像部１８は、レンズ１８Ａ、メカニカル・シャッタ及び絞り（図示省略）が配設され、レンズ１８Ａから入射した光を、メカニカル・シャッタが開放しているときに、絞りを介して、ＣＣＤ１８Ｂに入射させる構成である。
【００１５】
また、デジタルカメラ１０にはストロボ１２が設けられ、必要に応じて、ストロボ制御部１４の制御により、手動又は自動で発光するようになっている。
【００１６】
デジタルカメラ１０の前記撮像部１８、ストロボ制御部１４を含む各制御デバイスは、バス１６によって接続され、ＣＰＵ２０によってその動作が制御されるようになっている。各制御デバイスは、バッテリ２２からの電源が供給され、動作可能となっている。
【００１７】
バス１６には、制御デバイスとして、システムメモリ（ＲＡＭやＲＯＭ）２４、不揮発性メモリ２６、タイマ機能部２８、カレンダ／時計機能部３０がそれぞれ接続されている。
【００１８】
また、バス１６には、Ｉ／Ｏポート３２が接続され、このＩ／Ｏポート３２には、デジタルカメラ１０の筐体３４（図２参照）に取り付けられる操作・表示系３６からの信号の入出力がなされる。
【００１９】
図２（Ａ）に示される如く、デジタルカメラ１０の筐体３４の裏面側（前記撮像部１８が配設された側とは反対側）には、液晶モニタ（ＬＣＤ）３８が配設されている。
【００２０】
また、操作・表示系として、筐体３４の裏面側におけるＬＣＤ３８の右側には、前記ＬＣＤ３８上に表示される画像のコマ切り替え、項目選択等に適用される円形の上下左右キー４２が配設されている。この円形の上下左右キー４２の軸線を上下左右に傾斜することで、それぞれに傾斜させたときに異なるスイッチの接点が切り替わり、当該切り替え信号が前記Ｉ／Ｏ３２（図１参照）に入力されるようになっている。
【００２１】
この上下左右キー４２の下部には、縦方向に上からメニューボタン４４、実行ボタン４６、取消ボタン４８が配列されている。また、筐体３４の上面には、レリーズボタン５０とモード設定ダイヤル５２とが設けられている。
【００２２】
モード設定ダイヤル５２とメニューボタン４４とが操作されると、ＬＣＤ３８上には、例えば、各種設定を行うためのセットアップ画面が表示されるようになっている。
【００２３】
実行ボタン４６は、上記セットアップ画面上で、前記上下左右キー４２による機能選択後の決定時に操作され、取消ボタン４８は、当該決定した機能のキャンセルの際に操作される。
【００２４】
また、図２（Ｂ）に示される如く、デジタルカメラ１０の筐体３４の前面には、前記撮像部１８のレンズ１８Ａが露出可能な開口部６０が設けられている。この開口部６０には、円板状のシャッター６２が取り付けられている。このシャッター６２は、デジタルカメラ１０の電源スイッチ６４（図２（Ａ）参照）の動作に連動して、前記開口部６０を閉止する位置並びに開口する位置に移動可能（図２（Ｂ）の矢印Ａ参照）な駆動系を備えている。
【００２５】
すなわち、電源がオフの状態では、シャッター６２は開口部６０を閉止することで、レンズ１８Ａを保護し、電源がオンの状態では、シャッター６２を開口部６０から退避させることで、撮影可能な状態とすることができるようになっている。
【００２６】
図１に示される如く、バス１６には、カードＩ／Ｆ５６を介して、記録媒体としてのメモリカード５８が着脱可能なメモリカードスロット６０が接続されている。前記撮像部１８で撮影された画像データは、このメモリカードスロット６０に装填されたメモリカード５８に記録されることになる。
【００２７】
前記撮像部１８に入力された信号は、信号処理部１０４に送出され、ノイズ低減処理が施されると共に、ゲインコントロールがなされ、Ａ／Ｄ変換部１０６へ送出される。
【００２８】
Ａ／Ｄ変換部１０６でＡ／Ｄ変換された画像データは、ＣＰＵ２０からの指示に応じて、圧縮／伸長部１０８へ送られて圧縮処理（ＪＰＥＧ）がなされるか或いはそのまままの状態でカードＩ／Ｆ５６を介してメモリカードスロット６０へ送られるようになっている。
【００２９】
メモリカード５８に記録された画像データは、ＣＰＵ２０からの再生表示指示に基づいて読み出され、フレームメモリ１１０に格納され、ＬＣＤ制御部１１２の制御により、ＬＣＤ１２に表示される。なお、このとき、ＬＣＤ１１２には、ＯＳＤ（オンスクリーンディスプレイ部１１４によって制御される、当該画像データに基づく画像表示と共に文字やキャラクタデータ等が重ねて表示されるようになっている。
【００３０】
なお、バス１６には、外部Ｉ／Ｆ１１６が接続され、コネクタ１１８を介してパソコン等の外部制御装置（以下ＰＣ１２０という）と直接接続することが可能となっており、このＰＣ１２０に前記メモリカード５８に記録した画像データを伝送することができるようになっている。
【００３１】
なお、デジタルカメラ１０には、画像確認のためののモニタとして、ＬＣＤ１１２とは別に光学ファインダー６６を備えている。
【００３２】
ここで、デジタルカメラ１０では、撮影が終了し、メモリカード５８に記録された画像データは、デジタルカメラ１０の再生機能によって、ＬＣＤ３８に表示することが可能となっている。
【００３３】
この再生機能は、図２に示すモード設定ダイヤル５２を操作することで、撮影モードから再生モードに切り替えることで実行される。
【００３４】
再生モードとなると、通常は撮影記録順、すなわち、昇順再生が自動的に開始され、図２に示す上下左右キー４２の左右矢印部分を操作する毎に再生指示コマ番号をインクリメント又はデクリメントすることができる。例えば、現在ＬＣＤに表示されているコマ番号がＮｏ．ｎであると、上下左右キー４２の左矢印部分を押圧操作するとｎ−１コマ目が表示され、右矢印部分を押圧操作すると、ｎ＋１コマ目が表示される。なお、再生モードでは、上記コマ順表示の他、インデックス再生表示（複数枚をマトリクス状に配列して表示）や、降順再生表示等が可能であるが、以下では通常の昇順再生表示として説明する。
【００３５】
ＬＣＤに再生された画像は、撮影時の画角に忠実な画像サイズとなっている（以下、元画像という）。この元画像が表示されている状態で、前記上下左右キー４２の上下矢印部分を操作すると、元画像の対角線の中心と、ＬＣＤ３８の表示領域の対角線の中心とが一致する状態で、拡大・縮小表示（ズーム表示）が可能となっている。例えば、元画像（図３（Ａ）参照）の状態で、上下左右キー４２の上矢印に対応する部分を押圧操作すると、１段（例えば、×１．２）ずつ、最大３倍拡大されて表示される（図３（Ｂ）参照）。なお、３倍拡大の場合には面積上では３2（＝９倍）となる。また、拡大表示されている状態で、上下左右キー４２の下矢印部分を押圧操作すると、１段ずつ縮小表示される。
【００３６】
さらに、本実施の形態のデジタルカメラ１０では、拡大表示されている状態で、図示しないファンクションキー（例えば、メニューボタン４４を兼用させてもよい）を操作しながら、上下左右キー４２を操作すると、拡大されてＬＣＤ３８の画像表示領域から逸脱した部分（図３（Ｂ）及び（Ｃ）の斜線部分参照）へスクロールさせるトリミング機能を備えている。例えば、図３（Ｂ）が標準の３倍表示状態であり、この状態から上下左右キー４２を操作して、ＬＣＤ３８による表示領域を移動すると、図３（Ｃ）のように拡大された画像の中心からずれた部分を表示することが可能となっている。
【００３７】
ここで、本実施の形態では、コマ番号をインクリメントして次のコマ番号の画像をＬＣＤ３８に表示させる際に、予め設定しておくことによって、現在のコマ番号に対応する画像で指定したズーム、トリミング指示情報を次のコマ番号の画像に対しても反映させることができるモードを備えている（ズーム・トリミング維持機能）。このズーム・トリミング維持機能は、メニューボタン４４の操作によってセットアアップ画面を表示し、上下左右キー４２を操作して設定しおくようになっている。
【００３８】
このズーム・トリミング維持機能が設定されている場合、本実施の形態では、連写されている画像を対象として、ズーム・トリミングの指定を次のコマに反映させるようにしている。
【００３９】
例えば、図４（Ａ）に示すｎ−１コマ目の画像からｎコマ目、ｎ＋１コマ目の画像へ移行するときに、ズーム・トリミングされた領域をそのまま反映してＬＣＤ３８に表示するようになっている（図４（Ｂ）、（Ｃ）参照）。
【００４０】
図５には、ズーム・トリミング維持機能が設定されているときのＣＰＵ２０での動作を説明する機能ブロック図が示されている。
【００４１】
再生指示があると、画像データ読出部７０には、メモリカード５８（図１参照）から画像データが読出され、かつ伸長処理を施された画像データが入力され、画像編集部７２へ送出される。画像編集部７２では、ズーム又はトリミング指示に従い、元画像データにおける必要部分（ＬＣＤ３８での表示領域）が抽出された編集画像データを送出する。この画像データは、フレームメモリ１１０へ一旦格納された後、ＬＣＤ制御部１１２によってＬＣＤ３８に表示されるようになっている。
【００４２】
ここで、再生指示信号は、連写情報読出部７４に入力されており、再生信号の入力の度に不揮発性メモリ２６から連写情報が読み出され、前回のコマ画像と今回のコマ画像とが時間的に連写で撮影された否かが判断され、その結果が画像編集部７２へ送出される。
【００４３】
画像編集部７２では、連写が有の場合に、画像データ読出部７０で読み出された元画像データに対して、前回のズーム・トリミング指示を反映させて編集画像データを送出し、連写がの場合に、元画像データをまま送出する。
【００４４】
以下に本実施の形態の作用を説明する。
【００４５】
デジタルカメラ１０で撮影を行なう前に、モード設定ダイヤル５２を操作してセットアップ画面をＬＣＤ３８に表示する。
【００４６】
セットアップ画面により、記録モード、画素数、シャープネス、ビープ音等の項目を必要に応じて選択し、撮影の条件を設定する。
【００４７】
撮影モードでは、ＬＣＤ３８上に撮像部１８で撮影されているプレビューが表示され、所定の画角が決まるとレリーズボタン５０が操作され、撮影が実行される。
【００４８】
この場合、撮像部１８で撮像されたデータは、信号処理部１０４へ送出され、ノイズ低減処理、ゲインコントロール等の処理がなされた後、Ａ／Ｄ変換されて、デジタル画像データを生成する。
【００４９】
その後、圧縮／伸長部１０８において、デジタル画像データを圧縮し、メモリカード５８に記録する。
【００５０】
再生モードでは、インデックスモードが選択された場合は、メモリカード５８に記録されたデジタル画像データからサムネイル画像が読み出され、ＬＣＤ上にインデックス画像として、マトリクス状に撮影済の画像が表示される。また、１画像再生モードが選択された場合には、圧縮された画像データが読み出され、圧縮／伸長部１０８において伸長され、フレームメモリ１１０に展開した後に、ＬＣＤ３８に表示される。
【００５１】
上記再生モードにおいて、ズーム機能及びトリミング機能によって、元画像に対して、拡大・縮小並びに表示領域の移動が可能である。ここで、従来のデジタルカメラ１０では、前記設定したズーム指示やトリミング指示は、次のコマの再生表示に移行する際にキャンセルされ、当該次のコマの画像は元画像として表示されていた。この場合、例えば、集合写真を複数枚連写し、その中から最適なもの（特定の者が瞬きしていない画像等）を選択するとき、前回のズーム指示及びトリミング指示と同様の操作を次のコマの画像の再生時でも行なわなければならなかった。
【００５２】
しかし本実施の形態では、ズーム・トリミング維持機能が設定されている場合に、前回設定したズーム指示及びトリミング指示を次のコマの画像にも反映させるようにした。
【００５３】
以下、図６のフローチャートに従い、ズーム・トリミング機能を含む再生制御について説明する。
【００５４】
ステップ２００では、デジタルカメラ１０のモードを監視し、ステップ２０２でモードが再生モードか否かを判断する。
【００５５】
このステップ２０２で肯定判定されると、ステップ２０４へ移行し、メモリカード５８から圧縮された画像データ（及びＪＰＥＧタグ）を読出し、画像データを伸長してＬＣＤ３８に画像を表示する。この画像は、図３（Ａ）に示される元画像であり、撮影時の画像全てがＬＣＤ３８に表示され、ステップ２０６へ移行する。
【００５６】
ステップ２０６では、ＪＰＥＧタグから撮影時間を読出し、Ｎｔとしてセットする。
【００５７】
次のステップ２０８では、ズーム機能及びトリミング機能による指示があったか否かを判断し、肯定判定されるとステップ２１０へ移行して当該ズーム指示及びトリミング指示情報を記憶し、次いでステップ２１２で指示に基づいて、ＬＣＤ３８への表示を切り替え、ステップ２１４へ移行する。
【００５８】
すなわち、ズーム指示では、１段階（×１．２）毎に拡大表示されるが、このときは画像の中心は移動しない（図３（Ｂ）参照）。トリミング指示があると、画像の中心とＬＣＤ３８の画像表示領域の中心とが変位し、拡大されてＬＣＤ３８の画像表示領域を逸脱した領域の任意の領域を表示することができる（図３（Ｃ）参照）。
【００５９】
また、ステップ２０８で否定判定されると、ズーム・トリミングの指示がないと判断され、ステップ２１６で元画像を表示を維持し、ステップ２１４へ移行する。
【００６０】
ステップ２１４では、コマ送りの指示があったか否かが判断され、否定判定の場合には、ステップ２１８へ移行して、カメラモードを監視し、次いでステップ２２０で再生モードが維持されている場合（肯定判定）には、ステップ２１４へ戻り、再生モードが終了した場合（否定判定）には、ステップ２００へ戻る。
【００６１】
ステップ２１４で肯定判定された場合には、ステップ２２２へ移行してメモリカード５８から圧縮された次のコマ番号の画像データ（及びＪＰＥＧタグ）を読出し、画像データを伸長してＬＣＤ３８に画像を表示し、ステップ２２４へ移行する。
【００６２】
ステップ２２４では、ＪＰＥＧタグから撮影時間を読出し、（Ｎ＋１）ｔとしてセットする。
【００６３】
次のステップ２２６では、Ｎｔと（Ｎ＋１）ｔとの差（｜Ｎｔ−（Ｎ＋１）｜が所定時間ｔｋよりも短いか否か（｜Ｎｔ−（Ｎ＋１）｜≦ｔｋ）が判断され、肯定判定された場合には、前回まで表示していた画像に対して連写された画像であると判断し、ステップ２２８へ移行して、ズーム・トリミング情報を読出し、ステップ２３０へ移行してこのズーム・トリミング情報を反映させて表示し、ステップ２００へ戻る。
【００６４】
また、ステップ２２６で否定判定された場合には、ステップ２３２で元画像をそのまま表示し、ステップ２００へ戻る。
【００６５】
すなわち、図４（Ａ）においてｎ−１コマ目の画像で所定のズーム・トリミングを実行し、ｎコマ目及びｎ＋１コマ目が連写であると判断された場合には、図４（Ｂ）及び図４（Ｃ）に示される如く、コマ送り指示があった時点で自動的に、前回と同一のズーム・トリミングが実行された状態で表示されることになる。この図４では、３人の集合写真であり、向かって左側の人物が瞬きをしている途中である。ｎ−１コマ、ｎコマ、ｎ＋１コマを連射した場合、この中から瞬きをしていない画像を抽出してプリント等を実行しようとする場合、この３枚を単純なコマ送り指示のみで、ＬＣＤ３８での表示領域を向かって左側の人物のアップとすることができ、操作が容易となる。
【００６６】
以上説明したように、本実施の形態では、撮影が連写によってなされた場合で、かつズーム・トリミング維持機能が設定されている状態では、コマ送り指示のみで、現在表示されている画像のズーム・トリミング指示を次に表示する画像に対しても自動的に反映させることができるため、例えば連写した集合写真において特定の人物の瞬きがない画像を見つける際の確認時の操作が簡便となり、迅速な抽出が可能となる。
【００６７】
なお、本実施の形態では、所定の条件として連写を例にとり説明したが、この条件は連写に限らず、同日、同時間帯、同一場所等様々の条件やユーザーが指定した画像であってもよく、また、常に条件成立状態としてもよい。
【００６８】
【発明の効果】
以上説明した如く本発明では、例えば連写等の所定の条件が成立した場合には、その前に指定した指定状態を次の表示画像まで反映させるようにズーム機能を維持し、操作性を改善することができるという優れた効果を有する。
【図面の簡単な説明】
【図１】本実施の形態に係るデジタルカメラの制御ブロック図である。
【図２】（Ａ）はデジタルカメラの外観を背面側から見た斜視図、（Ｂ）は正面側から見た斜視図である。
【図３】ＬＣＤでの表示画像を示す正面図であり、（Ａ）は元画像表示状態、（Ｂ）はズーム表示状態、（Ｃ）ズーム・トリミング表示状態を示す。
【図４】連写されたコマのコマ送り時のＬＣＤでの表示状態を示す正面図である。
【図５】ズーム・トリミング維持機能が設定されているときのＣＰＵ２０での動作を説明する機能ブロック図である。
【図６】ズーム・トリミング機能を含む再生制御ルーチンを示すフローチャートである。
【符号の説明】
１０    デジタルカメラ（撮像装置）
１６    バス
１８    撮像部
１８Ｂ    ＣＣＤ（撮像部）
２０    ＣＰＵ
２２    バッテリ
２６    不揮発性メモリ
３８    ＬＣＤ（表示装置）
４２    上下左右キー（選択手段、画角指示手段）
７０    画像データ読出部
７２    画像編集部（ズーム制御手段、ズーム指示状態反映手段）
７４    連写情報読出部
１１２    ＬＣＤ制御部（表示制御手段）
【図１】
0004452430.tif 000002
【図２】
0004452430.tif 000003
【図３】
0004452430.tif 000004
【図４】
0004452430.tif 000005
【図５】
0004452430.tif 000006
【図６】
0004452430.tif 000007